(57)【特許請求の範囲】
【請求項１】
タイマ予約プログラムを設定する予約手段と、設定されたタイマ予約プログラムに基づいて録画を行う録画手段と、タイマ予約録画中に録画を継続しながら別のタイマ予約プログラムを設定する追加予約手段とを備え、該追加予約手段は、現在録画中の終了時間を基準にして、入力された時間から録画開始時間を設定して、新たなタイマ予約プログラムを追加することを特徴とする録画再生装置。
【請求項２】
新たなタイマ予約プログラムの録画時間帯にすでに別のタイマ予約プログラムが設定されている場合、予約できない旨の警告がされることを特徴とする請求項１記載の録画再生装置。
【請求項３】
追加予約手段は、タイマ予約プログラムを設定するためのタイマ予約録画キーとは別のキーからの入力によってタイマ予約プログラムを設定することを特徴とする請求項１または２記載の録画再生装置。
【請求項４】
追加予約手段は、現在録画中のタイマ予約プログラムを表示して、記録媒体への録画可能時間を延ばすために現在録画中の録画モードを変えたタイマ予約プログラムを設定し、録画手段は、修正されたタイマ予約プログラムに基づいて録画を継続することを特徴とする請求項１〜３のいずれかに記載の録画再生装置。
【発明の詳細な説明】
【０００１】
【発明の属する技術分野】
本発明は、設定されたタイマ予約プログラムにより録画を行う録画再生装置に関する。
【０００２】
【従来の技術および発明が解決しようとする課題】
テレビ放送を録画して再生する録画再生装置では、録画開始時間、録画終了時間等のタイマ予約プログラムを設定して、設定されたタイマ予約プログラムに基づいて録画を行うタイマ予約録画（Ｔ−ＲＥＣ）機能を有する。
【０００３】
タイマ予約録画を設定した後、別のタイマ予約プログラムを追加する場合、タイマ予約録画が実行される前の録画待機中であれば、予約を一旦解除して、新しいタイマ予約プログラムを設定することにより、新規のタイマ予約録画を追加することができる。
【０００４】
録画が実行されているタイマ予約録画中に別のタイマ予約プログラムを追加する場合、実行中のタイマ予約録画を一旦解除して、この間に新しいタイマ予約プログラムを設定する。すなわち、録画中に“タイマ録画”キーを操作して、実行中のタイマ予約プログラムを解除する。“メニュー”キーを操作して、タイマ録画設定画面に切換え、新たなタイマ予約プログラムを設定する。再度“タイマ録画”キーを操作して、解除中であった現在のタイマ予約録画を再開する。タイマ予約録画が予定の終了時間に終了した後、追加されたタイマ予約録画の待機状態となり、開始時間になると、タイマ予約録画が実行される。
【０００５】
このようにタイマ予約録画を追加して行う場合、一旦予約を解除しなければならない。すでにタイマ予約録画を実行中のとき、一旦解除されると、録画が途中で途切れ、一部の映像音声が欠如した不完全な録画内容となってしまう。
【０００６】
また、特許文献１には、タイマ予約録画中にタイマ予約プログラムを修正するシフト時間が入力されたとき、録画を継続しながら、録画終了時間のみをシフトして、タイマ予約プログラムを修正することが記載されている。
【０００７】
【特許文献１】
実用新案登録第３０７１９２３号公報
【０００８】
しかしながら、特許文献１では、現在実行中のタイマ予約プログラムを修正するものであって、このタイマ予約プログラムとは別のタイマ予約プログラムを設定して、新規のタイマ予約録画を追加するようにはなっていない。
【０００９】
本発明は、上記に鑑み、タイマ予約録画中に録画が途切れることなく、別のタイマ予約録画を追加することができる録画再生装置を提供することを目的とする。
【００１０】
【課題を解決するための手段】
本発明による課題解決手段は、タイマ予約プログラムを設定する予約手段と、設定されたタイマ予約プログラムに基づいて録画を行う録画手段と、タイマ予約録画中に録画を継続しながら別のタイマ予約プログラムを設定する追加予約手段とを備えたものである。
【００１１】
追加予約手段は、現在録画中の終了時間を基準にして録画開始時間を設定するもの、現在録画中のタイマ予約プログラムを表示して、該タイマ予約プログラムを変更した新たなタイマ予約プログラムを設定するもの、入力されたコード情報に基づいてタイマ予約プログラムを設定するものとする。これらの新規なタイマ予約プログラムは、いずれも実行中のタイマ予約プログラムの録画終了時間より後に録画開始となるように設定される。
【００１２】
別のタイマ予約プログラムは、実行中のタイマ予約プログラムに対して追加するという形式によって処理されることになる。そのため、実行中のタイマ予約プログラムが中断されることはなく、録画が継続される。
【００１３】
さらに、別のタイマ予約プログラムとして、実行中のタイマ予約プログラムを修正したものがある。実行中のタイマ予約プログラムを修正したタイマ予約プログラムを設定しても、録画を継続できる。すなわち、現在録画中のタイマ予約プログラムを表示して、このタイマ予約プログラムを修正したタイマ予約プログラムを設定する。設定中も録画は途切れることなく、しかも修正されたタイマ予約プログラムに基づいて録画は行われる。
【００１４】
【発明の実施の形態】
本発明の一実施形態の録画再生装置を図１に示す。本録画再生装置は、ハードディスク、磁気テープ等の記録媒体１に外部から入力された映像信号を記録するものであって、チューナ２、記録再生部３、入力部４、制御部５から構成され、制御部５にテレビ、モニタ等の表示部６が接続されている。
【００１５】
地上波放送や衛星放送、あるいはケーブルネットワークから受信した映像信号はチューナ２に入力される。チューナ２は、選局された番組の映像信号を選択して、記録再生部３に出力する。記録再生部３では、記録媒体１に応じた所定の処理を施して、記録媒体１に映像信号を記録して、録画を行う。記録した番組を再生するときは、記録再生部３が記録媒体１から映像信号を読み出して、信号処理を施して表示部６やスピーカに出力する。
【００１６】
入力部４は、リモートコントローラあるいは装置本体の操作パネルとされ、番組の記録、再生の指示を行う。入力部４において、日時、録画開始時間、録画終了時間、チャンネル等の予約内容を入力することによって、タイマ予約プログラムが設定される。すなわち、入力部４は、予約手段として機能するものである。
【００１７】
マイコンからなる制御部５は、入力部４から入力された内容に基づいてチューナ２、記録再生部３、表示部６の制御を行い、設定されたタイマ予約プログラムに基づいて録画を行う。そして、タイマ予約録画の実行中に録画を継続しながら別のタイマ予約録画を設定する追加予約機能を有している。すなわち、制御部５は、タイマ予約録画を実行しながら入力部４からの入力により追加処理として、新たなタイマ予約プログラムを設定する。なお、タイマ予約録画の待機中においても別のタイマ予約録画を設定することはできる。
【００１８】
録画中の追加予約として、現在録画中の終了時間を基準にしてタイマ予約プログラムを設定する予約追加方法、現在録画中のタイマ予約プログラムを呼び出して、これを変更する簡単予約方法、コード情報を利用したＧコード（登録商標）によるＧコード予約方法がある。
【００１９】
まず、通常のタイマ予約録画の手順として、リモコンの“メニュー”キーを操作して、表示部にメニュー一覧を表示させ、タイマ録画の予約を選択する。そして、リモコンから日付、録画開始時間、録画終了時間、チャンネル、録画モード、ジャンル、録画先を入力して、タイマ予約プログラムを設定する。続けて設定を行うときは、上記を繰り返す。“Ｔ−ＲＥＣ”キーを操作すると、録画待機状態となる。設定された録画開始時間になると、録画が開始される。録画待機中あるいは録画中に“Ｔ−ＲＥＣ”キーを操作すると、タイマ予約録画が解除される。
【００２０】
この録画中に予約追加方法による追加予約の手順を図２に基づいて説明する。タイマ予約録画実行中にリモコンの“予約追加”キーを操作して、予約追加モードに切り替える。通常“Ｔ−ＲＥＣ”キーを操作すると、タイマ予約録画が解除されるが、予約追加モードにおいては、実行中のタイマ予約録画を優先させるために、“Ｔ−ＲＥＣ”キーからの入力を受け付けないようにする。
【００２１】
予約追加モードに移行したとき、表示部６には図３に示すような画面が表示される。実行中のタイマ予約録画の録画終了時間であるＡＭ１１：００が表示されているので、この時間を基準にして、録画したい番組の放送開始時間がこの終了時間から何時間後になるのかを算出する。新たなタイマ予約録画の開始時間をテンキーあるいは時間ＵＰ／ＤＯＷＮキー等を用いて入力する。ＰＭ５：００〜ＰＭ６：００の番組を録画する場合、現在の録画終了時間の６時間後に録画開始となるので、開始時間は６時間００分と入力する。そして、終了時間は、録画時間に基づいて１時間００分と入力する。続いて、チャンネル、録画モード、ジャンル、録画先をそれぞれ入力する。その後、“予約追加”キーを操作すると、タイマ予約プログラムが設定される。追加予約したい番組が複数ある場合は、再度“予約追加”キーを操作して、上記の入力を繰り返す。なお、新しく設定したタイマ予約プログラムの録画時間帯にすでに別のタイマ予約プログラムが設定されている場合、予約できない旨の表示をして、録画ミスをなくせるようにユーザに注意を促すことができる。
【００２２】
タイマ予約プログラムの設定完了後、タイマ予約録画の画面に切り替わる。この設定中も録画は継続して行われており、制御部５において単なる追加処理が行われたことになる。
【００２３】
次に簡単予約方法による追加予約の手順を図４に基づいて説明する。タイマ予約録画実行中にリモコンの“簡単予約”キーを操作して、番組予約モードに切り替える。番組予約モードに移行したとき、表示部６には図５に示すような画面が表示される。タイマ予約録画設定を選択すると、タイマ予約プログラムを入力するための画面が表示される。図６に示すように、現在実行中のタイマ予約プログラムが表示され、日付、録画開始時間、録画終了時間、チャンネル、録画モード、ジャンル、録画先をテンキーあるいは時間ＵＰ／ＤＯＷＮキー等を用いて変更する。このように追加予約プログラムを設定すると、“簡単予約”キーを操作して、図５の番組予約画面に切り替わる。追加予約したい番組が複数ある場合は、上記の入力を繰り返す。
【００２４】
すべてのタイマ予約プログラムの設定完了後、図５の番組予約画面において“簡単予約”キーを操作すると、タイマ予約録画の画面に切り替わる。ここで、設定されたタイマ予約プログラムが複数ある場合、それぞれの録画開始時間を比較して、時間の早い順、あるいはジャンル別等のようにタイマ予約プログラムを並べ替える。この設定中も録画は継続して行われており、制御部５において単なる追加処理が行われたことになる。
【００２５】
次にＧコード方法による追加予約の手順を図７に基づいて説明する。タイマ予約録画実行中にリモコンの“Ｇコード”キーを操作して、Ｇコードによる番組予約モードに切り替える。図８に示すような画面が表示され、予約録画したい番組のＧコードを入力する。“Ｇコード”キーを操作すると、Ｇコードによるタイマ予約プログラムが設定され、タイマ予約録画の画面に切り替わる。追加予約したい番組が複数ある場合は、上記の入力を繰り返す。このとき、入力できるＧコードは、現在実行中のタイマ予約録画の録画終了時間以降の番組に対するものである。終了時間以前に始まる番組のＧコードが設定されたとき、予約できない旨の警告を表示する。
【００２６】
以上の３つの予約方法のいずれにおいても、“Ｔ−ＲＥＣ”キーとは別のキーからの入力によってタイマ予約プログラムを設定する。これによって、タイマ予約録画は解除されることはない。したがって、録画を継続しながら新規のタイマ予約プログラムを設定することができ、ユーザの利便性の向上を図れる。
【００２７】
追加予約の応用として、現在実行中のタイマ予約プログラムを修正することができる。すなわち、簡単予約方法と同様に、“簡単予約”キーの操作により、現在実行中のタイマ予約プログラムを表示する。録画終了時間等の修正したい項目を選んで修正し、“簡単予約”キーを操作して、修正したタイマ予約プログラムを設定する。その後、タイマ予約録画の画面に切り替わり、修正後のタイマ予約プログラムに従った録画が行われる。
【００２８】
これによって、録画中の番組が延長されたり、放送のスケジュールが変更された場合などに容易に対応することができ、希望の番組を必ず記録することができる。また、記録媒体の残り容量が少なくなって録画が途中で終わってしまう場合にも、録画モードを変えることによって、記録媒体の録画可能時間を延ばすことができ、録画が途切れることを防止できる。
【００２９】
なお、本発明は、上記実施形態に限定されるものではなく、本発明の範囲内で上記実施形態に多くの修正および変更を加え得ることは勿論である。記録媒体は、書き換え可能なＤＶＤ、ＣＤ、半導体メモリであってもよい。また、録画中に限らず、タイマ予約録画の待機状態のときでも予約録画可能としてもよい。
【００３０】
【発明の効果】
以上の説明から明らかな通り、本発明によると、タイマ予約録画中に別のタイマ予約プログラムを設定することができるので、実行中の録画が予約のために途切れることを防止できる。また、現在の録画の終了を待たなくてもタイマ予約プログラムを設定できるので、随時、予約が可能となり、録画再生装置としての使い勝手がよくなる。特に、現在の録画が終了して、すぐ録画を開始するような予約をしなければならない場合に、有用である。
【図面の簡単な説明】
【図１】本発明の一実施形態の録画再生装置の概略ブロック図
【図２】予約追加方法による予約のフローチャート
【図３】予約追加時の入力画面を示す図
【図４】簡単予約方法による予約のフローチャート
【図５】簡単予約を選択するときの画面を示す図
【図６】簡単予約時の入力画面を示す図
【図７】Ｇコード予約方法による予約のフローチャート
【図８】Ｇコード予約時の入力画面を示す図
【符号の説明】
１    記録媒体
２    チューナ
３    記録再生部
４    入力部
５    制御部
６    表示部
【図１】
0003692104.tif 000002
【図２】
0003692104.tif 000003
【図３】
0003692104.tif 000004
【図４】
0003692104.tif 000005
【図５】
0003692104.tif 000006
【図６】
0003692104.tif 000007
【図７】
0003692104.tif 000008
【図８】
0003692104.tif 000009